(57)【要約】【課題】パスワードの入力無しに、視聴できるコンテンツを制限した録画再生装置を提供する。【解決手段】制御部２は、ＨＤ３０Ａに記録されているタイトル一覧を、保護者によって指定された隠蔽タイトルを除いて、ＴＶ３００において表示する。この場合、子供が隠蔽タイトルを選択できない。即ち、隠蔽タイトルを再生できない。一方、隠蔽タイトルを視聴したい場合、保護者は、解除ファイルが記憶されているＤＶＤ１００を光ディスクドライブ２０にセットすればよい。ＤＶＤ１００に解除ファイルが記憶されている場合、制御部２は、指定された隠蔽タイトルの内、ＤＶＤ１００に記憶されている解除ファイルに対応付けられているタイトルのみ、表示禁止を一時的に解除する。これにより、保護者は、隠蔽タイトルの恋愛番組Ｂを再生できる。【選択図】  図７
2009005038.tif 000002
【特許請求の範囲】
【請求項１】
コンテンツデータがタイトル毎に記録されている第１のメディアに対するデータの記録又は読取を行う第１のドライブと、
前記第１のメディア中の全タイトルの一覧を再生開始前に表示する表示手段と、
前記表示手段で表示される前記一覧の中から１つのタイトルが選択されると、選択された該タイトルを再生する再生手段と、を備える録画再生装置において、
第２のメディアからデータを読取る第２のドライブと、
前記表示手段で表示される前記一覧の中で、表示を禁止するタイトルを指定タイトルとして指定するための操作手段と、
前記第２のメディアに記録されているファイルを、前記指定タイトルの表示禁止を解除するための解除ファイルとして、前記指定タイトルと前記第１のメディア上で対応付けるよう前記第１のドライブに指示する対応付け手段と、を備え、
前記表示手段は、
前記一覧表示の際、前記第１のメディア中の前記全タイトルの内、前記指定タイトルの表示を禁止し、
前記一覧表示の際、前記第２のメディアが前記第２のドライブにセットされている場合、前記指定タイトルに前記第１のメディア上で対応付けられている前記解除ファイルが前記第２のメディアに記憶されているかどうか判断し、前記解除ファイルが前記第２のメディアに記憶されていれば、前記指定タイトルの前記表示禁止を解除する録画再生装置。
【請求項２】
前記対応付け手段は、前記指定タイトルと前記解除ファイルの所定部分とを前記第１のメディア上で対応付けるよう前記第１のドライブに指示し、
前記表示手段は、前記解除ファイルが前記第２のメディアに記憶されているかどうかを、前記第２のメディアに記憶されているファイルの前記所定部分を調べることにより判断する請求項１に記載の録画再生装置。
【請求項３】
前記所定部分は、拡張子が記述されている部分を含み、
前記表示手段は、前記第２のメディアに記憶されているファイルの内、前記拡張子が同じファイルに対してのみ前記判断を行う請求項２に記載の録画再生装置。
【請求項４】
前記第１のメディアは、ハードディスクであり、
前記第２のメディアは、光ディスクである請求項１から３のいずれかに記載の録画再生装置。
【発明の詳細な説明】
【技術分野】
【０００１】
本発明は、メディアに記録されているタイトルの一覧を画面に表示する録画再生装置に関するものである。
【背景技術】
【０００２】
従来、ハードディスク（ＨＤ）やＤＶＤ（Digital Versatile Disk）などのメディアに記録されたコンテンツを読取って再生する録画再生装置が一般に普及している。
このような従来の録画再生装置は、再生開始前に、メディアに記録されているタイトルの一覧を画面に表示する。ユーザは、このタイトルの一覧を画面で見て、タイトルの一覧の中から所望のタイトルを選択する。すると、従来の録画再生装置は、選択された所望のタイトルをメディアから読取って再生する。
【０００３】
近年、メディアに記録されるコンテンツには、子供の教育上好ましくない、過激な暴力シーンや恋愛シーンなどを含むソフトが増えてきている。そのため、このようなコンテンツを子供に見せたくないと思い、子供が視聴できるコンテンツを制限したいと考える保護者（主に親）が多くなってきている。
なお、特許文献１では、データ暗号化装置が提案されている。
【特許文献１】特開平１１−９６６７５公報
【発明の開示】
【発明が解決しようとする課題】
【０００４】
しかしながら、これまで家庭で利用されている録画再生装置については、ユーザを制限する必要性が低かったことから、プロテクトをかけるという考えがなかった。そのため、子供を含む全てのユーザが、上記タイトルの一覧を画面で見て、タイトルの一覧の中から所望のタイトルを自由に選択していた。従って、従来の録画再生装置には、教育上好ましくないコンテンツを子供が再生して視聴してしまうという問題があった。
そこで、家庭で利用されている録画再生装置においても、パスワードによってプロテクトをかけ、利用を制限する方法が考えられる。しかし、パスワードの入力や管理には手間がかかるため、ユーザの使い勝手（ユーザビリティ）を悪化させてしまう。
【０００５】
本発明はこのような従来の課題を解決しようとするものであり、パスワードの入力無しに、視聴できるコンテンツを制限した録画再生装置を提供することを目的とする。
【課題を解決するための手段】
【０００６】
本発明の録画再生装置は、前記課題を解決するために以下の構成を備えている。
【０００７】
（１）コンテンツデータがタイトル毎に記録されている第１のメディアに対するデータの記録又は読取を行う第１のドライブと、
前記第１のメディア中の全タイトルの一覧を再生開始前に表示する表示手段と、
前記表示手段で表示される前記一覧の中から１つのタイトルが選択されると、選択された該タイトルを再生する再生手段と、を備える録画再生装置において、
第２のメディアからデータを読取る第２のドライブと、
前記表示手段で表示される前記一覧の中で、表示を禁止するタイトルを指定タイトルとして指定するための操作手段と、
前記第２のメディアに記録されているファイルを、前記指定タイトルの表示禁止を解除するための解除ファイルとして、前記指定タイトルと前記第１のメディア上で対応付けるよう前記第１のドライブに指示する対応付け手段と、を備え、
前記表示手段は、
前記一覧表示の際、前記第１のメディア中の前記全タイトルの内、前記指定タイトルの表示を禁止し、
前記一覧表示の際、前記第２のメディアが前記第２のドライブにセットされている場合、前記指定タイトルに前記第１のメディア上で対応付けられている前記解除ファイルが前記第２のメディアに記憶されているかどうか判断し、前記解除ファイルが前記第２のメディアに記憶されていれば、前記指定タイトルの前記表示禁止を解除する。
【０００８】
この構成において、録画再生装置は、例えばＨＤＤ付きＤＶＤプレーヤである。第１のメディアは、例えばＨＤである。第２のメディアは、例えばブルーレイディスク、ＤＶＤ、ＣＤである。
この構成では、視聴制限したいタイトルをユーザが指定タイトルとして指定する第１の場面と、第１のメディアに記録されているタイトルの一覧を表示する第２の場面と、に分かれる。最初に、第１の場面から説明する。第１のメディアに記録されているコンテンツの視聴を制限したい場合、ユーザ（特に保護者）は、まず、ファイルが記録された第２のメディアを装置本体にセットする。次に、ユーザは、表示手段において表示されるタイトル一覧の中から、視聴制限したいコンテンツを含むタイトルを、タイトル一覧の中から指定タイトルとして操作手段で指定する。すると、対応付け手段が、指定タイトルと、第２のメディアの解除ファイルと、を第１のメディア上で対応付けする。言い換えれば、対応付け手段は、指定タイトルと、解除ファイルと、の対応関係を第１のメディアに記録する。
【０００９】
そして、第１のメディアに記録されているタイトルの一覧を表示する第２の場面において、表示手段は、表示内容を以下の３通りのいずれかに変える。
まず、第１のメディア中のタイトルに指定タイトルがない場合、表示手段は、そのタイトルの一覧を通常表示する。
次に、第１のメディア中のタイトルに指定タイトルがある場合であって第２のメディアが装置本体にセットされていない場合、表示手段は、指定タイトルの表示を禁止する。そして、表示手段は、その他のタイトルの一覧を表示する。
最後に、第１のメディア中のタイトルに指定タイトルがある場合であって第２のメディアが装置本体にセットされている場合、表示手段は、その指定タイトルに第１のメディア上で対応付けられている解除ファイルが第２のメディアに記憶されているかどうか判断する。そして、解除ファイルが第２のメディアに記憶されていれば、表示手段は、指定タイトルの表示禁止を解除する。そして、表示手段は、タイトルの一覧を表示する。
上記３通りのタイトル一覧の中から、ユーザ（特に子供）は、再生したいタイトルを選択する。このため、表示が禁止されている指定タイトルをユーザ（特に子供）は再生することができない。この表示禁止を解除する場合、ユーザ（特に保護者）は、解除ファイルが記録された第２のメディアを装置本体にセットすればよい。
以上より、パスワードの入力無しに、視聴できるコンテンツを制限することができる。従って、保護者は、パスワードの入力や管理に要する手間をかけることなく、子供が視聴できるコンテンツを制限することができる。
【００１０】
（２）前記対応付け手段は、前記指定タイトルと前記解除ファイルの所定部分とを前記第１のメディア上で対応付けるよう前記第１のドライブに指示し、
前記表示手段は、前記解除ファイルが前記第２のメディアに記憶されているかどうかを、前記第２のメディアに記憶されているファイルの前記所定部分を調べることにより判断する。
【００１１】
この構成では、第２の場面を想定している。
ここで、前記解除ファイルが前記第２のメディアに記憶されているかどうかの判断において、第２のメディアに記録されているファイルの記述内容を全て調べた場合、相当な時間を要する。
そこで、この構成では、対応付け手段が、指定タイトルと解除ファイルの所定部分とを対応付け、表示手段が、第２のメディアに記録されているファイルの所定部分だけを調べている。所定部分は、予め定められた部分であり、例えばファイルの先頭数ビットのデータ又はファイルの終端から手前数ビットのデータである。
これにより、解除ファイルが第２のメディアに記憶されているかどうかの判断に要する時間を短縮できる。
【００１２】
（３）前記所定部分は、拡張子が記述されている部分を含み、
前記表示手段は、前記第２のメディアに記憶されているファイルの内、前記拡張子が同じファイルに対してのみ前記判断を行う。
【００１３】
この構成では、第２の場面を想定している。
ここで、前記解除ファイルが前記第２のメディアに記憶されているかどうかの判断において、第２のメディアに記録されている全ファイルを調べた場合、相当な時間を要する。
そこで、この構成では、表示手段は、第２のメディアに記憶されているファイルの内、拡張子が同じファイルに対してのみ判断を行っている。
これにより、解除ファイルが第２のメディアに記憶されているかどうかの判断に要する時間を一層短縮できる。
【００１４】
（４）前記第１のメディアは、ハードディスクであり、
前記第２のメディアは、光ディスクである。
【発明の効果】
【００１５】
この発明によれば、パスワードの入力無しに、視聴できるコンテンツを制限することができる。従って、保護者は、パスワードの入力や管理に要する手間をかけることなく、子供が視聴できるコンテンツを制限することができる。
【発明を実施するための最良の形態】
【００１６】
以下、本発明の実施形態であるＨＤ付きＤＶＤレコーダについて説明する。
【００１７】
図１は、本発明の実施形態であるＨＤ付きＤＶＤレコーダの構成を示すブロック図である。ＨＤ付きＤＶＤレコーダ１は、記録指示に応じて入力されたデータを所定のメディアに記録（消去を含む）し、且つ再生指示に応じて既に記録されているデータを再生する記録再生部１０４と、記録再生部１０４への記録動作、記録再生部１０４からの再生動作、及び以下に説明する各部の動作を制御する制御部２と、を備える。
【００１８】
記録再生部１０４は、ＤＶＤ１００（Ｄｉｇｉｔａｌ  Ｖｅｒｓａｔｉｌｅ  Ｄｉｓｋ）に対するデータの記録又は読取を行う光ディスクドライブ２０と、内蔵するＨＤ３０Aに対する（ＴＶ番組等の）コンテンツデータの記録又は読取を行うＨＤＤ（ハードディスクドライブ）３０と、データプロセッサ４０と、を備える。
ＤＶＤ１００は、例えばＤＶＤ−ＲＷ、ＤＶＤ−ＲＡＭである。ＤＶＤ１００は、市販のＤＶＤ−ＲＯＭでも構わない。
【００１９】
なお、この実施形態では、ＨＤＤ３０が、本発明の「第１のドライブ」に相当する。また、ＨＤ３０Aが、本発明の「第１のメディア」に相当する。また、光ディスクドライブ２０が、本発明の「第２のドライブ」に相当する。また、ＤＶＤ１００が、本発明の「第２のメディア」に相当する。さらに、制御部２が、本発明の「対応付け手段」に相当する。また、データプロセッサ４０、デコーダ１０６、及び出力部１０７が、本発明の「再生手段」に相当する。また、ＯＳＤ生成部１０８、出力部１０７、ＴＶ３００、及び制御部２が、本発明の「表示手段」に相当する。また、リモコン２００が、本発明の「操作手段」に相当する。
また、この実施形態では、ＤＶＤ１００で説明しているが、実施の際は、フラッシュメモリなどの半導体メモリでも構わない。また、ＨＤ３０Aで説明しているが、実施の際は、ブルーレイディスクでも構わない。
【００２０】
さらに、ＨＤ付きＤＶＤレコーダ１は、ＡＶ入力端子１０１と、チューナ１０２と、エンコーダ１０３と、デコーダ１０６と、出力部１０７と、ＯＳＤ生成部１０８と、ＴＶ（テレビジョン）３００が接続されるＡＶ出力端子１０９と、受信部１１０と、記憶部１１１と、を備える。
【００２１】
まず、録画時について説明する。
ＡＶ入力端子１０１は、記録対象である映像信号や音声信号等をＨＤ付きＤＶＤレコーダ１の外部から入力し、接続されているエンコーダ１０３に出力する。外部には、例えばインターネットが接続されている。
【００２２】
チューナ１０２は、放送局から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ１０３に出力する。
エンコーダ１０３は、ＡＶ入力端子１０１から入力された映像信号や音声信号を（例えばＭＰＥＧ２で）エンコードして圧縮し、コンテンツデータとして、データプロセッサ４０に出力する。
また、エンコーダ１０３は、チューナ１０２から入力されたテレビ放送信号から映像信号、音声信号を分離する。そして、エンコーダ１０３は、映像信号や音声信号を（例えばＭＰＥＧ２で）エンコードして圧縮し、コンテンツデータとして、データプロセッサ４０に出力する。
【００２３】
データプロセッサ４０は、制御部２の制御に従って、エンコーダ１０３から出力されたコンテンツデータを、光ディスクドライブ２０とＨＤＤ３０とのいずれか一方に供給する。これにより、ユーザは、コンテンツデータをＨＤ３０Ａに録画する。
【００２４】
また、データプロセッサ４０は、両ドライブ間においてデータの中継を行う。詳述すると、データプロセッサ４０は、制御部２の制御に従って、光ディスクドライブ２０から読み出されたデータをＨＤＤ３０に供給したり、ＨＤＤ３０から読み出されたデータを光ディスクドライブ２０に供給したりする。
【００２５】
次に、再生時について説明する。
データプロセッサ４０は、ＤＶＤ１００のコンテンツデータ（映像音声データ）を光ディスクドライブ２０から取り込んで、デコーダ１０６に供給する。または、データプロセッサ４０は、ＨＤ３０Ａのコンテンツデータ（映像音声データ）をＨＤＤ３０から取り込んで、デコーダ１０６に供給する。
【００２６】
デコーダ１０６は、記録再生部１０４から出力された映像音声データをデコードして伸長する。
【００２７】
ＯＳＤ生成部１０８は、制御部２から入力されるデータに基づいて、ＯＳＤ（on screen display）画像を示すＯＳＤ画像データを生成する。そして、ＯＳＤ生成部１０８は、ＯＳＤ画像データを出力部１０７に出力する。
【００２８】
出力部１０７は、ＯＳＤ画像データおよび映像データを入力して、制御部２の制御のもとにいずれかを選択的に受取り、ＡＶ出力端子１０９を介してＴＶ３００に出力する。または、出力部１０７は、制御部２の制御のもとに、ＯＳＤ画像データと映像音声データ中の映像データとを合成し、ＡＶ出力端子１０９を介してＴＶ３００に出力する。さらに、出力部１０７は、映像音声データ中の音声データも、ＴＶ３００に出力する。
【００２９】
以上により、ＴＶ３００は、ＡＶ出力端子１０９を介して与えられる映像データに基づく画面、与えられる合成画像信号に基づく画面、または与えられるＯＳＤ画像データに基づくＯＳＤのみの画面を再生する。さらに、音声信号も、ＴＶ３００に設けられているスピーカで処理され、音声がそのスピーカから再生される。この結果、ユーザは、このＴＶ３００において、コンテンツであるテレビ番組等を視聴する。
【００３０】
一方、記憶部１１１は、例えばＥＥＰＲＯＭで構成される。記憶部１１１は、装置本体各部の制御方法が記述された制御プログラムを格納する。
【００３１】
ＨＤ３０Ａは、コンテンツデータを記憶するデータ記憶領域と、データ記憶領域に記録されているコンテンツデータの記憶管理を行うための管理情報を記憶する記憶管理領域と、に分割されている。この管理情報は、例えばプロパティに記述されている情報である。管理情報は、録画済みの番組の全タイトルに関する情報であり、例えばタイトルの容量、表示が禁止された隠蔽タイトル、タイトルが記録されているＨＤ３０Ａ上のアドレス、録画日時、及びタイトル名である。ＨＤＤ３０は、制御部２の指示により、その管理情報を制御部２に伝送する。
【００３２】
リモコン２００は、制御信号を送信する赤外LEDと、コンテンツの録画を受付ける録画キーと、ＨＤ３０Ａ中の録画済みの番組のタイトル一覧（タイトルリスト）を表示するタイトル一覧表示キーと、そのタイトル一覧の中から再生タイトルを選択する選択キーと、そのタイトル一覧の中で、表示を禁止する隠蔽タイトルを指定する指定キーと、隠蔽タイトルの表示禁止を解除するための解除ファイルを選択するための解除ファイル選択キーと、及びその他の操作キーを有している（いずれも不図示）。ユーザは、これらのキー操作により、録画、及び再生等を行う。リモコン２００は、操作されたキーに応じた制御信号を赤外LEDから送信する。
【００３３】
受信部１１０は、リモコン２００から送信された制御信号（コマンド）を受信し、その制御信号を制御部２へ出力する。
【００３４】
制御部２は、例えばマイクロコンピュータで構成される。制御部２は、記憶部１１１に記憶されている制御プログラムで処理されるデータを展開するためのワークフィールドとしてのＲＡＭ（不図示）を内蔵する。制御部２は、リモコン２００から送信された制御信号に従って、ＨＤ３０Ａ及びＤＶＤ１００に対するデータの記録動作、読取動作等を制御する。また、制御部２は、ＨＤ３０Ａに記録されているコンテンツデータの管理情報を、ＨＤＤ３０から取得する。
【００３５】
図２は、ＴＶ３００においてＯＳＤ表示されるタイトル一覧の一例を示す図である。タイトル一覧表示キーがユーザによって押下されると、制御部２は、ＨＤＤ３０からＨＤ３０Ａの管理情報を取得して、ＨＤ３０Ａの記憶内容を参照する。そして、制御部２は、取得した管理情報から、ＨＤ３０Ａ中の録画済みの番組のタイトル一覧を示すＯＳＤ信号を作成する。そして、制御部２は、該ＯＳＤ信号を出力部７から出力する。この結果、ＴＶ３００において、図２に示すようなタイトル一覧がＯＳＤ表示される。
なお、図２では、恋愛番組Ｂは、暴力番組Ａより教育上好ましくない番組とする。
【００３６】
図３は、本発明の実施形態であるＨＤ付きＤＶＤレコーダの制御部が行う動作を示すフローチャートである。この動作は、図２に示すようなタイトル一覧が表示された時の動作である。
【００３７】
制御部２は、リモコン２００の指定キーで、タイトル一覧の中から隠蔽タイトルが指定されたかどうかを判断する（Ｓ１）。さらに、制御部２は、リモコン２００の選択キーで、タイトル一覧の中から再生タイトルが選択されたかどうかを判断する（Ｓ２）。
Ｓ１及びＳ２では、ユーザが、ＴＶ３００において表示されているタイトル一覧の中から、再生タイトルの選択か隠蔽タイトルの指定かを行う状態となっている。詳述すると、Ｓ１では、保護者が、視聴制限したいコンテンツを含むタイトル（例えば暴力番組Ａ、恋愛番組Ｂ）をタイトル一覧の中から指定キーで指定する。また、Ｓ２では、ユーザが、再生したいタイトルをタイトル一覧の中から選択キーで選択する。
【００３８】
Ｓ２において再生タイトルが選択されると、制御部２は、再生タイトルをＨＤ３０Ａから読取って再生するようＨＤＤ３０に指示し（Ｓ３）、本処理を終了する。これにより、再生タイトルに含まれるコンテンツデータがＴＶ３００において再生される。
【００３９】
Ｓ１において隠蔽タイトルが指定されると、制御部２は、ファイルが記録されたＤＶＤ１００が光ディスクドライブ２０にセットされているかどうかを判断する（Ｓ４）。
【００４０】
ファイルが記録されたＤＶＤ１００が光ディスクドライブ２０にセットされていなければ、制御部２は、ファイルが記録されたＤＶＤ１００のセットをＴＶ３００で要求し（Ｓ５）、Ｓ１に戻り処理を継続する。この接続要求は、ＯＳＤで行い、例えば「ファイルが記録されたＤＶＤ１００をセットしてください」である。ユーザは、このメッセージを見て、ファイルが記録されたＤＶＤ１００をセットする。
【００４１】
一方、ファイルが記録されたＤＶＤ１００が光ディスクドライブ２０にセットされていれば、制御部２は、ＤＶＤ１００に記録されているファイルの内の１つのファイルの選択をＴＶ３００で要求する（Ｓ６）。この要求は、ＯＳＤで行い、例えば「隠蔽タイトルの表示禁止を解除するファイルを１つ選択してください」である。ユーザは、このメッセージを見て、解除ファイルを解除ファイル選択キーで選択する。
なお、ＤＶＤ１００に記録されているファイルが１つのみの場合、制御部２は、そのファイルを解除ファイルと扱う。
【００４２】
解除ファイルが選択されると（Ｓ７）、制御部２は、解除ファイルから解除キーを生成する（Ｓ８）。実施の際は、解除ファイルそのものを解除キーとしても構わないが、この実施形態では、制御部２は解除ファイルの所定部分を解除キーとする。また、所定部分は、解除ファイルの拡張子が記述された部分と、解除ファイルの先頭１６ビット分の映像データ又は解除ファイルの先頭１６ビット分の音声データが記述されたコード部分とする。
【００４３】
図４は、隠蔽タイトルと解除ファイルとの対応関係を示す図である。図４に示される解除キーは、拡張子が記述された部分と、コード部分から成る。コード部分の先頭「×０」は、コードの情報が１６進数で記述されていることを示している。
Ｓ８の後、制御部２は、その解除ファイルの所定部分（解除キー）と、Ｓ１で指定された隠蔽タイトルと、をＨＤ３０Ａ上で対応付けて（図４参照）、その隠蔽タイトルを不可視化する（Ｓ８）。そして、制御部２は本処理を終了する。ここで、対応付け及び不可視化について詳述する。対応付け及び不可視化は、ＨＤ３０Ａの管理情報において行われる。まず、対応付けは、図４に示される対応関係をＨＤ３０Ａに管理情報として持たせることにより行われる。例えばユーザが暴力番組Ａを指定すると、制御部２が、拡張子が「ｍｐ３」でコードが「０×８７７２」の解除キーを暴力番組Ａに対応付けてＨＤＤ３０に記録する。ＨＤＤ３０は、この対応関係を管理情報としてＨＤ３０Ａに記録する。次に、不可視化とは、Ｓ１で指定された隠蔽タイトルに、隠しファイルの属性を制御部２が設定する処理である。この処理により、管理情報において、図３のＳ１で指定された隠蔽タイトルに、隠しファイルの属性が付与される。これにより、ＨＤ付きＤＶＤレコーダ１以外の装置（例えばパーソナルコンピュータ）でも、隠蔽タイトルが表示されないようにすることができる。
【００４４】
図５は、本発明の実施形態であるＨＤ付きＤＶＤレコーダの制御部が行う動作を示すフローチャートである。この動作は、ユーザがタイトル一覧表示キーを押下した時の動作である。
【００４５】
タイトル一覧表示キーが押下されると、制御部２は、ＨＤ３０Ａの管理情報を参照して、Ｓ１で指定された隠蔽タイトルがＨＤ３０Ａに存在するかどうかを判断する（Ｓ１０１）。
【００４６】
隠蔽タイトルがＨＤ３０Ａに存在しない場合、制御部２は、ＨＤ３０Ａに記録されているタイトル一覧をＴＶ３００において図２に示すように通常表示する（Ｓ１０２）。この後、制御部２は図３のタイトル一覧表示ルーチンに移行する。
【００４７】
一方、隠蔽タイトルがＨＤ３０Ａに存在する場合、制御部２は、ＤＶＤ１００が光ディスクドライブ２０にセットされているかどうかを判断する（Ｓ１０３）。
【００４８】
ＤＶＤ１００が光ディスクドライブ２０にセットされている場合、制御部２は、隠蔽タイトルにＨＤ３０Ａ上で対応付けられている解除ファイルがＤＶＤ１００に記憶されているかどうか判断する（Ｓ１０４）。例えば、隠蔽タイトルである暴力番組Ａであれば、拡張子が「ｍｐ３」でコードが「０×８７７２」のファイルがＤＶＤ１００に存在すれば、解除ファイルがＤＶＤ１００に記憶されていることとなる。
ここで、Ｓ１０４の判断において、ＤＶＤ１００に記録されている全ファイルを調べた場合、相当な時間を要する。そこで、制御部２は、Ｓ１０４において、ＤＶＤ１００に記憶されているファイルの内、拡張子が同じファイルに対してのみ判断を行う。この実施形態では、「ｊｐｇ」と「ｍｐ３」のファイルのみ判断を行う。これにより、解除ファイルがＤＶＤ１００に記憶されているかどうかの判断に要する時間を短縮できる。
また、Ｓ１０４の判断において、ＤＶＤ１００に記録されているファイルの記述内容を全て調べた場合にも、相当な時間を要する。そこで、制御部２は、図３のＳ９において指定タイトルと解除ファイルの所定部分とを対応付け、Ｓ１０４においてＤＶＤ１００に記録されているファイルの先頭１６ビットだけを調べる。そして、図４に示すコードが記述されたファイルがＤＶＤ１００に存在すれば、解除ファイルがＤＶＤ１００に記憶されていることとなる。これにより、解除ファイルがＤＶＤ１００に記憶されているかどうかの判断に要する時間を一層短縮できる。
【００４９】
図６は、ＴＶ３００においてＯＳＤ表示されるタイトル一覧の一例を示す図である。
Ｓ１０３においてＤＶＤ１００が光ディスクドライブ２０にセットされていない場合、Ｓ１０４においてＤＶＤ１００に解除ファイルが記憶されていない場合、制御部２は、図３のＳ１で指定された隠蔽タイトルの表示を禁止して、ＨＤ３０Ａに記録されているタイトル一覧をＴＶ３００において図６に示すように表示する（Ｓ１０６）。そして、制御部２は図３のタイトル一覧表示ルーチンに移行する。Ｓ１０６について詳述すると、制御部２は、図３のＳ１で指定された隠蔽タイトルかどうかを管理情報に基づいて判断して、隠蔽タイトルを除く。隠蔽タイトルであれば、図４に示す対応関係が管理情報に記述されているので、制御部２はこの記述を参照する。
【００５０】
ここで、子供は、図６で表示されていない隠蔽タイトルを図３のＳ２で選択できない。即ち、隠蔽タイトルを再生できない。一方、図６で表示されていない隠蔽タイトルを視聴したい場合、保護者は、解除ファイルが記憶されているＤＶＤ１００を光ディスクドライブ２０にセットしておく。
【００５１】
図７は、ＴＶ３００においてＯＳＤ表示されるタイトル一覧の一例を示す図である。
一方、Ｓ１０４においてＤＶＤ１００に解除ファイルが記憶されている場合、制御部２は、図３のＳ１で指定された隠蔽タイトルの内、ＤＶＤ１００に記憶されている解除ファイルに対応付けられている隠蔽タイトルのみ、表示禁止を一時的に解除する（Ｓ１０６）。例えば、現在光ディスクドライブ２０にセットされているＤＶＤ１００の解除ファイルの拡張子が「ｊｐｇ」でコードが「０×６９９１」であれば、恋愛番組Ｂのみ表示禁止を一時的に解除する。
そして、制御部２は、ＨＤ３０Ａに記録されているタイトル一覧をＴＶ３００において図７に示すように表示する（Ｓ１０７）。そして、制御部２は図３のタイトル一覧表示ルーチンに移行する。これにより、保護者は、図６で表示されていなかった隠蔽タイトルの恋愛番組Ｂを再生できる（図７参照）。また、図６で表示されていなかった隠蔽タイトルの暴力番組Ａを再生したい場合、ユーザは、拡張子が「ｍｐ３」でコードが「０×８７７２」の解除ファイルが記録されている別のＤＶＤを光ディスクドライブ２０にセットすればよい。
【００５２】
以上より、パスワードの入力無しに、視聴できるコンテンツを制限することができる。従って、保護者は、パスワードの入力や管理に要する手間をかけることなく、子供が視聴できるコンテンツを制限することができる。
【図面の簡単な説明】
【００５３】
【図１】本発明の実施形態であるＨＤ付きＤＶＤレコーダの構成を示すブロック図
【図２】ＴＶ３００においてＯＳＤ表示されるタイトル一覧の一例を示す図
【図３】本発明の実施形態であるＨＤ付きＤＶＤレコーダの制御部が行う動作を示すフローチャート
【図４】隠蔽タイトルと解除ファイルとの対応関係を示す図
【図５】本発明の実施形態であるＨＤ付きＤＶＤレコーダの制御部が行う動作を示すフローチャート
【図６】ＴＶ３００においてＯＳＤ表示されるタイトル一覧の一例を示す図
【図７】ＴＶ３００においてＯＳＤ表示されるタイトル一覧の一例を示す図
【符号の説明】
【００５４】
１−ＨＤ付きＤＶＤレコーダ
２−制御部
７−出力部
２０−光ディスクドライブ
３０−ＨＤＤ
３０Ａ−ＨＤ
４０−データプロセッサ
１００−ＤＶＤ
１０１−ＡＶ入力端子
１０２−チューナ
１０３−エンコーダ
１０４−記録再生部
１０６−デコーダ
１０７−出力部
１０８−ＯＳＤ生成部
１０９−ＡＶ出力端子
１１０−受信部
１１１−記憶部
２００−リモコン
３００−ＴＶ
【図１】
2009005038.tif 000003
【図２】
2009005038.tif 000004
【図３】
2009005038.tif 000005
【図４】
2009005038.tif 000006
【図５】
2009005038.tif 000007
【図６】
2009005038.tif 000008
【図７】
2009005038.tif 000009